(57)【特許請求の範囲】
【請求項１】
外タンクの内側に内タンクが配設されて二重タンク構造に形成されたロータンクであって、前記内タンクの底側に一体形成された底筒部が、前記外タンクの底面に形成された底孔内に挿入され、前記外タンクの下面側よりナット部材を締め付けて、前記内タンクが前記外タンクの底面に固定されてなり、フロート弁により開閉されるフロート弁座は、ロータンクの上面側より手を入れて着脱交換可能に前記内タンクの底筒部内に上方より差し込んで取り付けられていることを特徴とするロータンク。
【請求項２】
前記フロート弁座には、外周側へ突出して係止フランジ部が一体形成され、さらに下方側へ向かって筒状の差込筒部が一体形成され、該差込筒部には係止孔が形成されて、上方側より前記差込筒部を前記内タンクの底筒部内にオーリングを介在させて水密状に差し込み、前記底筒部の上端に前記係止フランジ部を当接させて、前記底筒部から内側へ突出された突起部を前記係止孔内に嵌め込んでフロート弁座が取り付けられていることを特徴とする請求項１に記載のロータンク。
【発明の詳細な説明】
【０００１】
【産業上の利用分野】
この発明は、洗浄水を溜めるロータンクに関するものである。
【０００２】
【従来の技術及びその課題】
従来、洗浄水を溜めることのできるロータンク５１は図９に示すように構成されており、ロータンク５１内の上部部位にはボールタップ５２が設けられ、このボールタップ５２に外側から給水管を接続するために、ロータンク５１の側面に給水管孔５３が開口されており、また、ロータンク５１内の底側には、下面側よりナット５５を締め付けて弁座金具５４が固定されており、この弁座金具５４上に、上下動可能にフロート弁５６が設けられたものとなっており、また、弁座金具５４から立ち上げ状にオーバーフロー管５７が立設されたものとなっている。また、従来では、ロータンク５１の内周に、結露防止用の結露防止材５８が貼着されている。
このように従来では、弁座金具５４の交換が困難で、メンテナンス性が悪いという問題点があった。
【０００３】
【課題を解決するための手段】
本発明は上記従来の問題点に鑑み案出したものであって、メンテナンス性が向上するロータンクを提供せんことを目的とし、その第１の要旨は、外タンクの内側に内タンクが配設されて二重タンク構造に形成されたロータンクであって、前記内タンクの底側に一体形成された底筒部が、前記外タンクの底面に形成された底孔内に挿入され、前記外タンクの下面側よりナット部材を締め付けて、前記内タンクが前記外タンクの底面に固定されてなり、フロート弁により開閉されるフロート弁座は、ロータンクの上面側より手を入れて着脱交換可能に前記内タンクの底筒部内に上方より差し込んで取り付けられていることである。
また、第２の要旨は、前記フロート弁座には、外周側へ突出して係止フランジ部が一体形成され、さらに下方側へ向かって筒状の差込筒部が一体形成され、該差込筒部には係止孔が形成されて、上方側より前記差込筒部を前記内タンクの底筒部内にオーリングを介在させて水密状に差し込み、前記底筒部の上端に前記係止フランジ部を当接させて、前記底筒部から内側へ突出された突起部を前記係止孔内に嵌め込んでフロート弁座が取り付けられていることである。
【０００４】
【実施例】
以下、本発明の実施例を図面に基づいて説明する。
図１は、ロータンクを設置した便器本体の全体構成図であり、便器本体１の上面側にはリム３が形成され、その下方に鉢面２が形成されており、便器本体１の後部には、立設状にロータンク４が設置されており、このロータンク４の拡大側面断面図を図２に示し、また、図３では拡大正面内部構成図を示し、また、図４ではロータンクの背面図を示し、また、図５ではロータンクの平面図を示し説明すると、本例のロータンク４は、陶器製の外タンク５の内側に、空気層Ｓを形成させて、樹脂製の内タンク６が配設されて二重タンク構造に形成されており、外タンク５の上面には着脱可能に蓋７が載置されたものとなっており、蓋７には手洗い鉢部７ａが形成され、この手洗い鉢部７ａ内に吐水できる吐水管８が立設されたものとなっている。また、この吐水管８と連通して外タンク５内の上部部位にはボールタップ９が設けられており、このボールタップ９へ給水するために、外タンク５の背面側より給水管１１が接続されたものとなっている。
【０００５】
この給水管１１は、図４の背面図で示すように、外タンク５の背面に縦方向に凹み状に形成された凹部５ａ内に嵌め込み状に埋設配置されており、給水管１１の上端は、凹部５ａ内の上部に貫通形成された孔５ｂを通してボールタップ９に接続されたものとなっている。この孔５ｂは、外タンク５の背面の左右方向の中心部であって、内タンク６内に溜められる洗浄水の溜水面よりも上方に開口されたものである。
従って、本例では、凹部５ａ内に給水管１１を埋設状に配設して給水管１１を良好に隠蔽させた状態で、外タンク５の背面側をトイレの壁面等にほぼ当接状に設置することができ、給水管１１は前側からは完全に隠蔽されて、スッキリとした設置状態を得ることができるものである。
さらに、孔５ｂは外タンク５背面の左右方向中心部に開口されているため、左右の何れ側からも給水管１１を配管することができ、従来のように左右２種類の品番を用意する必要がなく、ロータンク４を１種類の品番でコストを低減させて形成することができるものとなる。
【０００６】
また、外タンク５の側面には、使用者が手で操作することのできるハンドル１２が設けられており、ハンドル１２のロッド部１２ａの先端には鎖１３が接続され、鎖１３の下端にフロート弁１４が連結されており、このフロート弁１４は、フロート弁座１５に対し上下動して、フロート弁座１５を開閉し、洗浄水を便器本体１側へ排水できるように構成されており、本例におけるフロート弁座１５は、内タンク６の底側に一体形成され垂下された底筒部６ａ内に上方より差し込んで取り付けられたものとなっており、フロート弁座１５は、ロータンク４の上方より手を入れて着脱交換可能なものとなっている。
【０００７】
即ち、フロート弁座１５の部分を拡大して図６に示し説明すると、内タンク６の底側には下方側へ垂下状に底筒部６ａが一体形成されており、この底筒部６ａが、外タンク５の底面に貫通形成された底孔５ｃ内に挿入されて、底筒部６ａの外周に形成されたネジに対し、外タンク５の下面側よりナット部材１９を締め付けて、ナット部材１９により内タンク６を外タンク５の底面に固定できるように構成されており、この底筒部６ａの上面側より、オーリング１６を介在させて水密状にフロート弁座１５が取り付けられており、フロート弁座１５は図８に拡大斜視図で示すように、その上面側には、フロート弁１４が当接する傾斜お椀状の弁座部１５ａが形成され、この弁座部１５ａの下方には外周側へ突出して係止フランジ部１５ｂが一体形成され、さらに下方側へ向かって筒状の差込筒部１５ｃが一体形成されており、この差込筒部１５ｃには、縦溝１５ｅを有する鉤状の係止鉤孔１５ｄが形成されて、上方側よりこのフロート弁座１５を底筒部６ａにオーリング１６を介在させて水密状に差し込み、底筒部６ａの上端に係止フランジ部１５ｂを当接させて、底筒部６ａから内側へ突出された突起部などを縦溝１５ｅ内に入れ、その状態でフロート弁座１５を回すことにより、突起などが係止鉤孔１５ｄ内にカチッと嵌まり込んで、抜脱が防止された状態でフロート弁座１５が取り付けられるものであり、このフロート弁座１５をメンテナンス時には、逆方向に回転させて取り外すことができ、また、便器本体１側へ流す洗浄水量を変更させたい場合には、別の径のフロート弁座１５と交換することができるものであり、交換作業も極めて容易に上方側から手を入れて行うことができるように設定されている。
【０００８】
なお、図６に示すように、底筒部６ａの中央部にはガイド筒部６ｄが立設されており、このガイド筒部６ｄ内に、フロート弁１４から垂下されたガイドピン１４ａが挿入されて、フロート弁１４の上下移動を良好にガイドするように構成されている。
また、底筒部６ａには、左側方向へ延出して水路を形成する水路壁６ｂが一体形成されており、この水路壁６ｂの上面側に、差込筒部６ｃが一体状に立設されており、この差込筒部６ｃに対し、上方側より差込み状に補給水管１７が接続されたものとなっている。即ち、補給水管１７の下端部には複数の係止爪脚１７ａ，１７ａ，１７ａが形成されており、この係止爪脚１７ａ，１７ａ，１７ａを差込筒部６ｃ内に、オーリング１８を介在させた状態で水密状に差し込んで係止させることができるように構成されている。従って、補給水管１７も上方側より差込み状に取り付け、また、上方側へ引き抜いてメンテナンス等が容易に行えるように構成されている。
【０００９】
なお、本例では、外タンク５の内周と内タンク６の外周間に１５mm以上の空気層Ｓが形成されており、この空気層Ｓにより空気断熱して結露を防止できるように構成され、従来のような結露防止材５８を省略することができるものとなっている。
この空気層Ｓの下端側は前記外タンク５の底孔５ｃに連通しており、この底孔５ｃは前記底筒部６ａよりも相当大径に形成されて、下面側から図７に逆向きの斜視図で示すようなナット部材１９を締め付け、内タンク６を固定することができるものであり、ナット部材１９は、底筒部６ａに螺合される内ネジ１９ａを有し、その外周側には、所定間隔で形成されたリブ１９ｃ，１９ｃを介し、外周フランジ１９ｂが一体形成されており、外周フランジ１９ｂは底孔５ｃの下面側に当接するもので、外周フランジ１９ｂの内側には上下に貫通して排水孔Ｈ，Ｈが形成され、排水孔Ｈ，Ｈは底孔５ｃに連通されるものである。
【００１０】
従って、ナット部材１９を底孔５ｃの下面側に締め付け固定した状態において、底孔５ｃと排水孔Ｈを介し、空気層Ｓと便器本体１側が連通されることとなり、空気層Ｓ内に、内タンク６からオーバーフローした洗浄水が流れ込んだ時にも、良好に洗浄水を底孔５ｃ及び排水孔Ｈを通して便器本体１のリム３内に流して鉢面２へ排水することができるものである。
また、内タンク６の外周に結露水が発生して、この結露水が空気層Ｓ内を流下した時にも、結露水を底孔５ｃ，排水孔Ｈを通して便器本体１側へ良好に排水することができるものである。
【００１１】
このように空気層Ｓは、結露を防止する効果とともに、オーバーフロー水とか結露水を便器本体１側へ排出する水路の役目も果たすことができ、従来のようなオーバーフロー管５７を省略することができ、部品点数を削減してコストを低減させることができるものとなる。
【００１２】
【発明の効果】
本発明は、外タンクの内側に内タンクが配設されて二重タンク構造に形成されたロータンクであって、前記内タンクの底側に一体形成された底筒部が、前記外タンクの底面に形成された底孔内に挿入され、前記外タンクの下面側よりナット部材を締め付けて、前記内タンクが前記外タンクの底面に固定されてなり、フロート弁により開閉されるフロート弁座は、ロータンクの上面側より手を入れて着脱交換可能に前記内タンクの底筒部内に上方より差し込んで取り付けられていることにより、メンテナンス時等に容易にフロート弁座を取り外すことができるものとなり、また、必要に応じフロート弁座の交換も可能となり、メンテナンス性等が極めて向上するものとなる。
【００１３】
また、前記フロート弁座には、外周側へ突出して係止フランジ部が一体形成され、さらに下方側へ向かって筒状の差込筒部が一体形成され、該差込筒部には係止孔が形成されて、上方側より前記差込筒部を前記内タンクの底筒部内にオーリングを介在させて水密状に差し込み、前記底筒部の上端に前記係止フランジ部を当接させて、前記底筒部から内側へ突出された突起部を前記係止孔内に嵌め込んでフロート弁座が取り付けられていることにより、抜脱が防止された状態でフロート弁座が取り付けられ、ワンタッチでフロート弁座を着脱することができ、メンテナンス作業とか交換作業を短時間で容易に行うことができるものとなる。
【図面の簡単な説明】
【図１】  ロータンクを設置した便器本体の全体構成図である。
【図２】  ロータンクの拡大側面断面構成図である。
【図３】  図２の正面構成図である。
【図４】  図２の背面構成図である。
【図５】  図３の平面構成図である。
【図６】  フロート弁座の部分の拡大断面構成図である。
【図７】  ナット部材を逆向きにした斜視構成図である。
【図８】  フロート弁座の斜視構成図である。
【図９】  従来のロータンクの断面構成図である。
【符号の説明】
１  便器本体
２  鉢面
３  リム
４  ロータンク
５  外タンク
５ａ  凹部
５ｂ  孔
５ｃ  底孔
６  内タンク
６ａ  底筒部
６ｂ  水路壁
６ｃ  差込筒部
６ｄ  ガイド筒部
７  蓋
８  吐水管
９  ボールタップ
１１  給水管
１２  ハンドル
１４  フロート弁
１５  フロート弁座
１５ａ  弁座部
１５ｂ  係止フランジ部
１５ｃ  差込筒部
１５ｄ  係止鉤孔
１６  オーリング
１７  補給水管
１７ａ  係止爪脚
１９  ナット部材
１９ａ  内ネジ
１９ｂ  外周フランジ
１９ｃ  リブ
Ｈ  排水孔
Ｓ  空気層
【図１】
0003721465.tif 000002
【図２】
0003721465.tif 000003
【図３】
0003721465.tif 000004
【図４】
0003721465.tif 000005
【図５】
0003721465.tif 000006
【図６】
0003721465.tif 000007
【図７】
0003721465.tif 000008
【図８】
0003721465.tif 000009
【図９】
0003721465.tif 000010